(57)【要約】【課題】  洗濯後のクシャクシャに縮まる扱い難い状態のパンティストッキングでも、素早く快適に履くための安価で簡素な補助具を提供する。【解決手段】  Ｒ状の曲げの先端部に突起状のかえしを設けて取り込んだパンティストッキングの脚の空抜けを阻止し、細長いフレーム状の胴体部の外周寸法をパンティストッキングの足首の外周寸法に合わせて弛みを無くした本体の後部側に、着脱自在のスライド収納式の取っ手を設けた構造とし、使用時には全体が一本の長尺体となる事により手持ち操作を前提とする方式の補助具としたものである。【選択図】図１
2011050703.tif 000002
【特許請求の範囲】
【請求項１】
パンティストッキングを素早く軽快に履くために用いる補助的な小物用具であって、本体は外側が湾曲状に膨らむ薄厚、幅広の棒状部材が用いられ、Ｒ状に曲げられる先端部と、左右に隙間を持つ細長いフレーム状の胴体部から構成されると共に、後部側にはスライド収納式の取っ手が着脱自在に装備され、使用時では数十センチの一本の長尺体となる形態により、補助具自体を手持ちで用いる操作法を前提としている事を特徴とする、パンティストッキングのスピード履き補助具の構造。
【請求項２】
上記取っ手は本体側の先端部とほぼ同型構造を為している事を特徴とする、請求項１に記載のパンティストッキングのスピード履き補助具の構造。
【請求項３】
本体の胴体部の外周寸法を概ね１２から１４センチ前後とし、一般的パンティストッキングの足首の外周寸法に合致するように設定されると共に、先端部の付け根付近には脚の空抜けを防ぐための突起状のかえしが設けられている事を特徴とする、請求項１に記載のパンティストッキングのスピード履き補助具の構造。
【請求項４】
本体の胴体部の外側面の長方向に沿って、複数の溝が設けられている事を特徴とする、請求項１に記載のパンティストッキングのスピード履き補助具の構造。
【発明の詳細な説明】
【技術分野】
【０００１】  本発明は、パンティストッキングを素早く、軽快に履く機能を持つ補助具の構造に関する。
【背景技術】
【０００２】  パンティストッキング（以下パンストと呼称する）は生足での外出を嫌う女性の必需品であり、四季を問わず世界中で愛用される。これは倍程に伸ばした状態で足腰にフィットする超薄素材の特性により、洗濯後ではクシャクシャに縮まる状態となる。よって、この扱い難いものを毎朝時間に追われながら身に付けるのは誠に厄介で、爪の長い女性ほど伝線を気使う動作から手間取る事になる。パンストを履くには、先ず脚の先端を捉えるまで手繰り寄せ、両親指で間口を広げながらつま先を差し入れる事が前提であり、この段階までに多くの時間が掛かるのである。この場合、爪が短い女性であれば、先ず腕を脚に差し入れてもう片手でたくし上げる手法が早いが、それでも３０秒程度で履き終えるなら良い方である。当然、長爪や付け爪、ネイルアートを施す女性にはこの手段は使えず、結果的に１分以上も時間が掛かってしまう場合さえある。では、この３０秒や１分程度の何が問題なのかとなるが、通勤通学時では誰にとっても１秒でも貴重な時間と感じるからである。つまり、パンスト履きに手間取る事は精神的に大きな負担となるものであり、慌てると余計に伝線を引き起こす失敗に陥り易く、電車やバス一本の遅れになってしまう事は珍しくないのである。このように、多くの女性が求めるのはパンストを確実に素早く履くための手段なのである。【０００３】  パンスト履きに用いる補助具として、参考文献１に示す唯一の先願発明があり、簡単な構造でパンストが履き易くなると記されている。しかし、２本の細長い直棒にパンスト全体を被せ、これを紐で持ち上げて両手で掴む手段では効果はない。何故なら、パンストは片足ずつ両手で間口を広げながらつま先を差し入れる事が前提となるのは先述した通りである。それを、最初からパンスト全体を紐で引き上げて抜いてしまうなら両手が塞がってしまい、この状態で先の動作を行うのはほとんど無理である。つまり、履き易くなるのではなく、履き難くなるのである。また、突起物は上向きに床置きされるため、これに脚部が垂れ折れるパンストを被せる段階で手間取るのは確実で、スピード履きは尚更無理である。仮に予めセットを済ませて置くにしても、子供や老人が転んだ拍子に目に刺さる事態が想定され、危険な据え置き構造は製造販売側に瑕疵が問われる恐れがあり完全に不可である。【０００４】  因みに、参考文献２なる発明やその類の考案も存在するが、これらは体の障害が原因で靴下類が上手く履けない方が用いる特殊な補助器具であって、本発明の求める内容とは関りがなく、完全に似て非なる内容のため詳細は割愛する。
【参考文献１】
特願平６−３３０２６５
【参考文献２】
特開２００４−２３０１７０
【発明の開示】
【発明が解決しようとする課題】
【０００５】  先願発明の引用説明で判るように、一見簡単にも思えるパンスト履きの補助具の開発は案外に難問である。特に、スピード履き機能を得るのは容易ではなく、この実用具が完成されるなら完全新規の価値ある発明となる。このスピードとは通常動作で１５秒以内、いざと云う時には倍の７秒履きさえ可能とする性能を有するものでなければ魅力は乏しい。このようにハードルは決して低くはないが、これをクリアしてこその発明である。但し、性能以前の問題として、以下の基本的な条件を満たしている事が前提である。第一に、安価に提供される事は勿論、小型軽量でシンプルな機能美に徹する構造である事。これは極めて重要で、一般女性が生活の一部として用いる便利グッズの類である点を鑑みるなら、それが如何に高性能だろうと、無骨なデザインや大掛かりで高価な器具では需要が生まれる筈もないからである。第二に、長爪や付け爪、ネイルアートを施す女性でも同様にスピード履きが出来る事。近年、爪のお洒落は時代の流れであり、このような女性にこそ効果的でなければ意味を成さないのは当然である。第三に、瑕疵の懸念がなく、誰にも安心安全な構造である事。これは云うまでもなく、製品化を目指す場合には必須条件である。
【課題を解決するための手段】
【０００６】  本課題を解決するため請求項１に記載の発明によれば、パンティストッキングを素早く軽快に履くために用いる補助的な小物用具であって、本体は外側が湾曲状に膨らむ薄厚、幅広の棒状部材が用いられ、Ｒ状に曲げられる先端部と、左右に隙間を持つ細長いフレーム状の胴体部から構成されると共に、後部側にはスライド収納式の取っ手が着脱自在に装備され、使用時では数十センチの一本の長尺体となる形態により、補助具自体を手持ちで用いる操作法を前提としている事を特徴とする、パンティストッキングのスピード履き補助具の構造としたものである。【０００７】  また、請求項２に記載の発明によれば、上記取っ手は本体側の先端部とほぼ同型構造を為している事を特徴とする、請求項１に記載のパンティストッキングのスピード履き補助具の構造としたものである。【０００８】  また、請求項３に記載の発明によれば、本体の胴体部の外周寸法を概ね１２から１４センチ前後とし、一般的パンティストッキングの足首の外周寸法に合致するように設定されると共に、先端部の付け根付近には脚の空抜けを防ぐための突起状のかえしが設けられている事を特徴とする、請求項１に記載のパンティストッキングのスピード履き補助具の構造としたものである。【０００９】  また、請求項４に記載の発明によれば、本体の胴体部の外側面の長方向に沿って、複数の溝が設けられている事を特徴とする、請求項１に記載のパンティストッキングのスピード履き補助具の構造としたものである。
【発明の効果】
【００１０】  請求項１に記載の発明による効果の第一は、本品は片手で持ちながらの使用法を最大の特徴とする。すなわち、全体は先端部に丸みを持つ細長い長尺体であるから、洗濯後のクシャクシャに縮まる状態や、折れや曲がりで方向性が不定の状態を一切問題とせず、自在にパンストの脚深くまで一気に差し込む事が出来るのである。そして、残りは湾曲する胴体部を滑らせるように引き上げると先端まで捉えられ、後は親指を隙間に通して本体を引き抜けば脚全体が手中に収められる仕組みである。ここまでが最も手間の掛かる手繰り寄せに代わる動作であり、これを瞬く間に終えてしまう事によりスピード履きが実現するのである。【００１１】  第二に、上記の手で引き上げる操作では指の腹を用いるため、長爪や付け爪、ネイルアートを施していても爪を引っ掛ける問題はなく、爪のお洒落を楽しむ多くの女性の悩みが解決される。そして、パンストの間口を広げてつま先を差し入れたなら、もう片足側も同様の操作を行い腰までたくし上げて全て完了である。では、これがどれほどの効果なのかとなるが、平均的動作で１５秒以内と従来の２倍から３倍程度となり、毎朝一分一秒を争う女性にとっては手放せなくなるほどの効果である。【００１２】  第三に、本品は幼児用のタイツも共有可能である。幼い手では特に難しい手繰り寄せが不要となれば早々に一人履きが出来る可能性は高く、毎朝忙しい母親が負担から開放されるのは時間の問題となる。これを幼児の側から見れば、補助具を用いる事の利便性と楽しさを学び、人に頼らずに事を成す自立精神に目覚めるきっかけにもなる。【００１３】  第四に、本品は使い易さと機能を徹底追及したコンパクトでシンプルな構造であり、効果の割には限界的な低コストを実現している。また、手持ち操作であるから危険な要素もなく誰にも安心安全なのは勿論、場所を選ばず自由な姿勢で使用出来るのは本品特有の効果である。【００１４】  第五に、パンストの脚に差し込むには長い胴体が効果的であるが、長いものは不使用時には邪魔になる事、販売や流通コストが掛かる事、見た目が悪いなどの欠点が生じるものである。本発明では後部の取っ手が本体に収納される構造であるから上記の問題はない。【００１５】  請求項２に記載の発明による効果は、取っ手を本体とほぼ同型の先端部を持つ兼用構造とする事により、２体に分離して両脚同時にセットする使用法が可能となる。この効果は、例えば飛行機を予約している、重要会議が控えている、受験に出かけるなどのように、翌朝は絶対に遅れては困る事は良くある話である。このような事態を迎えた場合には非常手段的に予め段取りして置くと安心出来る。何故なら、セット後なら驚異の７秒履きが実現するからである。つまり、本品を普通に使用すれば１５秒で済むが、それさえも不安な場合には極めて重宝する機能なのである。【００１６】  請求項３に記載の発明による効果は、折角本品にパンストの脚先を取り込んでも、これを手で掴む動作に押されて先端があっさり抜けてしまうのでは意味を成さない。かといって先願発明のように、一々手で頭を押えるようではあまりにお粗末である。本発明では、胴体部の外周とパンストの外周を合致させて弛みが生じない状態としており、押されても���数の小さな波状のしわが溜まり、容易には突起状のかえしを乗り越える事が出来難い仕組みである。【００１７】  請求項４に記載の発明による効果は、溝により摩擦抵抗が減少してパンストの滑りが向上するため、スムーズな取り込みには欠かせない働きとなる。また、胴体部の部材は丸みを帯びている必要性から肉厚となるが、余分な部材削減によりコスト減を図る効果もある。更に、のっぺりと長い側面の印象が引き締まる視覚的効果も大きい。
【発明を実施するための最良の形態】
【００１８】  上記の説明において、本品を予めセットする使用法を取り上げたが、それぞれの先端のＲの径を変えて大小兼用タイプとしても良い。つまり、２体を分離する使用法では抵抗感が変わるために若干使い心地は劣るが、ユーザー側からはパンストのサイズを気にせず購入出来る点、製造側からはサイズを絞り込める利点もある。よって、優劣は付け難くどちらを採用しても構わない。【００１９】  全体寸法は、収納時で２０センチとすれば使用時には概ね３５センチとなり使い良いが、好みは人それぞれであり限定はしない。また、一般的パンストの足首付近の外周寸法を１２から１４センチとして本品胴体部の外周寸法を設定しているが、適正を図るには大中小程度のサイズ別を揃えるのが望ましい。
【実施例】
【００２０】  ここでは本体と取っ手の先端部が同型のタイプを元に説明する。着脱自在の取っ手にはストッパーが利く必要があるため一例を取り上げて説明している。この機構を得るにはさまざまな手段が可能であり、求める機能や効果が同じであれば多少の相違があっても構わない。【００２１】  先ず、図例１は本品を用いる状態を示す斜視図である。図例のように片手で取っ手ｂ側を持ち、もう片手でパンストの腰部を開きながら脚深く差し込む使用法である。パンストの脚は約５０センチであるから、本品を差し込むだけで７割がた届き、１５センチほどの残りを手で引き込む事になるが、これは精々１回か２回で容易に済む。【００２２】  図例２は本品の収納時の状態を示す平面図である。図例のように右端に本体ａの先端部ａ１が、左端に取っ手ｂの先端部ｂ１があり、取っ手の胴体部ｄは本体の胴体部ｃの内側に収納されている。本体の底板１０と取っ手の底板１１が左右に別れる状態となっており、この底板はフレーム強度のために設置される。底板はギザギザ凹凸のストッパー２０、２１が設けられるスペースでもある。図例に見えているのは本体側のストッパー２０で、取っ手側のストッパー２１は底板の裏面に配備されて見えていない状態である。ストッパー機構は、お互いの凹凸が重なる抵抗によってブレーキが利き、一段強く力を加える事で解除される仕組みである。【００２３】  図例３は図例２を側面から見た図で、図例４は本体ａを正面から見た図を示す。これにより側面の複数の溝のラインと、突起状のかえし３０の主体が本体の上部にある事が判る。また、取っ手ｂの胴体部ｄの縦幅が狭いため先端部ｂ１の付け根位置で滑らかな膨らむ首ｂ２を持たせている。これにより、収納時には程良い維持力が利くと共に、左右同型状態となり見栄え良くコンパクトに収まっている。【００２４】  図例５は本品の拡大断面図であり、取っ手ｂがスライド移動するガイド機構を示している。図例のように、本体の凹み量が大きく取っ手との面積に大きな差はない。そして、下部側の底板１０、１１にはそれぞれのストッパー２０、２１が重なる状態が判る。取っ手の底板１１は薄目で若干湾曲状に設定されており、接触圧力に対して程良い逃げが利くため目減りは小さくて済む。【００２５】  図例６は取っ手ｂを本体ａから引き抜いて分離し、パンストの両脚を同時にセットした状態を示す説明図である。これは予め行う事が前提であるからこの段階で急ぐ必要はなく、本体、取っ手共に短いままでのセット操作でも問題とはならない。
【図面の簡単な説明】
【００２６】
【図１】本品の使用時の状態を示す斜視図である。
【図２】本品の収納時を示す平面図である。
【図３】本品の側面図である。
【図４】本品を拡大した正面図である。
【図５】本品を拡大した断面図である。
【図６】本体と取っ手を分離して使用する場合の説明図である。
【符号の説明】  ａ：本体
ａ１：本体の先端部
ｂ：取っ手
ｂ１：取っ手の先端部
ｂ２：取っ手先端側の首
ｃ：本体の胴体部
ｄ：取っ手の胴体部
１０：本体の底板
１１：取っ手の底板
２０：本体側のストッパー
２１：取っ手側のストッパー
３０：突起状のかえし
３１；パンスト
【図１】
2011050703.tif 000003
【図２】
2011050703.tif 000004
【図３】
2011050703.tif 000005
【図４】
2011050703.tif 000006
【図５】
2011050703.tif 000007
【図６】
2011050703.tif 000008